(57)【要約】【課題】止め金板仕様のシリンダ錠をラッチ体仕様のシリンダ錠に簡単に転換することができるシリンダ錠用後付ラッチユニットを提供する。【解決手段】ユニットケース１のラッチ収容部３に収容されたラッチ本体６とユニットケース１の前面側開口部２に収容されたカム体１１は、ブラケット板１３の後位板部１４のビス挿入孔１７からユニットケース１の側壁部４のビス孔５にビス１８を捻じ込むことによって組立てられる。ブラケット板１３は、取付対象物の扉２７の背面に前位板部１６を当接し、前位板部１６の取付孔２６に嵌挿したシリンダ錠２１の錠本体２５にナット２９を螺合することによって、扉２７に締付け固定される。ブラケット板１３の後位板部１４の軸受孔２０にはカム体１１の主軸部１９が嵌挿され、主軸部１９の連動用受孔２４にはシリンダ錠２１のロータ２２の駆動軸部２３が相対回転不能に嵌挿される。【選択図】図１
2010007418.tif 000002
【特許請求の範囲】
【請求項１】
前面側開口部２に連通したラッチ収容部３を有し、前面側開口部２を包囲する矩形状の側壁部４の各隅部にビス孔５を前面側から形成してある箱形状のユニットケース１と、
前記ラッチ収容部３に収容され、先端部分７が前記側壁部４の側面開口部８から突出するラッチ本体６と、
前記ラッチ収容部３の内壁面と前記ラッチ本体６の基端部との間に配備され、前記ラッチ本体６を突出方向に摺動付勢するバネ部材９と、
前記ユニットケース１の前面開口部２に収容され、前記ラッチ本体６の基端部前面の受動突起１０を押圧する駆動アーム部１２を側面部に形成してあるカム体１１と、
前記ユニットケース１の前面側開口部２を閉塞する後位板部１４と当該後位板部１４の一側端部の前面側に直角に連設された中継ぎ板部１５と当該中継ぎ板部１５の前端部に直角に連設されて前記後位板部１４と平行に対面する前位板部１６とからなるブラケット板１３と、
前記後位板部１４の各隅部のビス挿入孔１７から前記ユニットケース１の前記ビス孔５に捻じ込まれ、前記ブラケット板１３を前記ユニットケース１に締付け固定する固定用ビス１８とからなり、
前記ブラケット板１３の後位板部１４の中央部に前記カム体１１の主軸部１９が嵌挿される軸受孔２０を形成し、前記主軸部１９の前面にシリンダ錠２１のロータ２２の駆動軸部２３が相対回転不能に嵌挿される連動用受孔２４を形成し、ブラケット板１３の前記前位板部１６の中央部に前記シリンダ錠２１の錠本体２５が相対回転不能に嵌挿される取付孔２６を形成してあるシリンダ錠用後付けラッチユニット。
【発明の詳細な説明】
【技術分野】
【０００１】
本発明は、止め金板をロータの回転と一体に回転させてボックス本体側の受金部に係脱させるようにした止め金板仕様のシリンダ錠を、ロータの回転によってラッチ体が直線摺動するラッチ体仕様のシリンダ錠に転換するときに使用されるシリンダ錠用後付けラッチユニットに関する。
【背景技術】
【０００２】
一般のシリンダ錠は止め金板仕様の構成であり、ボックスの扉に錠本体を固定し、錠本体の後方に突出したロータの駆動軸部に止め金板を固定し、鍵でロータを回転させることによって止め金板を回転させ、止め金板の先端部をボックス本体側の受金部に係脱させるようにしている（特許文献１参照）。
【０００３】
ラッチ体仕様のシリンダ錠では、錠本体の後端面にラッチユニットのユニットケースの前面板をその背面側から捻じ込んだビスによって固定し、この前面板をユニットケースにその前面側から捻じ込んだビスによってユニットケースに固定し、ロータの駆動部をカム体の連動用受孔に嵌挿し、カム体の駆動アーム部でラッチ体の基端部の受動突起を押圧するようにしてある（特許文献２参照）。
【０００４】
このように止め金板仕様のシリンダ錠はラッチ体仕様のシリンダ錠とは全く別仕様として設計製作されているため、止め金板仕様のシリンダ錠をラッチ体仕様のシリンダ錠に転換して使用することはできなかった。
【０００５】
【特許文献１】特開２００３−２０１７８０号公報
【特許文献２】特開平０９−３２８９３７号公報
【発明の開示】
【発明が解決しようとする課題】
【０００６】
本発明の課題は、止め金板仕様のシリンダ錠をラッチ体仕様のシリンダ錠に簡単に転換することができるシリンダ錠用後付ラッチユニットを提供することである。
【課題を解決するための手段】
【０００７】
本発明のシリンダ錠用後付ラッチユニットは、前面側開口部２に連通したラッチ収容部３を有し、前面側開口部２を包囲する矩形状の側壁部４の各隅部にビス孔５を前面側から形成してある箱形状のユニットケース１と、
前記ラッチ収容部３に収容され、先端部分７が前記側壁部４の側面開口部８から突出するラッチ本体６と、
前記ラッチ収容部３の内壁面と前記ラッチ本体６の基端部との間に配備され、前記ラッチ本体６を突出方向に摺動付勢するバネ部材９と、
前記ユニットケース１の前面開口部２に収容され、前記ラッチ本体６の基端部前面の受動突起１０を押圧する駆動アーム部１２を側面部に形成してあるカム体１１と、
前記ユニットケース１の前面側開口部２を閉塞する後位板部１４と当該後位板部１４の一側端部の前面側に直角に連設された中継ぎ板部１５と当該中継ぎ板部１５の前端部に直角に連設されて前記後位板部１４と平行に対面する前位板部１６とからなるブラケット板１３と、
前記後位板部１４の各隅部のビス挿入孔１７から前記ユニットケース１の前記ビス孔５に捻じ込まれ、前記ブラケット板１３を前記ユニットケース１に締付け固定する固定用ビス１８とからなり、
前記ブラケット板１３の後位板部１４の中央部に前記カム体１１の主軸部１９が嵌挿される軸受孔２０を形成し、前記主軸部１９の前面にシリンダ錠２１のロータ２２の駆動軸部２３が相対回転不能に嵌挿される連動用受孔２４を形成し、ブラケット板１３の前記前位板部１６の中央部に前記シリンダ錠２１の錠本体２５が相対回転不能に嵌挿される取付孔２６を形成したものである。
【発明の効果】
【０００８】
本発明では、ユニットケース１のラッチ収容部３に収容されたラッチ本体６と付勢用バネ部材９、並びにユニットケース１の前面側開口部２に収容されたカム体１１は、ブラケット板１３の後位板部１４のビス挿入孔１７からユニットケース１の側壁部４のビス孔５に固定用ビス１８を捻じ込むことによって所定の配置状態に組立てられる。
このようにラッチユニット１を連結してあるブラケット板１３は、取付対象物たとえば機器ボックスの扉２７の背面に前位板部１６を当接し、扉２７の固着受孔２８と前位板部１６の取付孔２６にシリンダ錠２１の錠本体２５を正面側から一定長さだけ嵌挿し、その嵌挿位置においてナット２９を錠本体２５に嵌める。
その後、錠本体２５を前端鍔部３０が扉２７の前面に当接するまで錠本体２５を固着受孔２８と取付孔２６に深く嵌挿し、ナット２９を錠本体１の外周面の雌ねじ部３１に螺合させ、ナット２９を回して前位板部１６を扉２７の背面に締付けることによってブラケット板１３が扉２７に固着される。
【０００９】
このように本発明のシリンダ錠用後付ラッチユニットによれば、ブラケット板１３の介在によって止め金板仕様の既存のシリンダ錠を、ラッチ体仕様のシリンダ錠に簡単に転換することができる。
【実施例】
【００１０】
図示した実施例では、ラッチ本体６の先端部分７の背面側には、ラッチ本体６が受金部（図示していない）と当たったとき、ラッチ本体６を自動的にユニットケース１に向かって直線摺動させるためのカム斜面部３２が形成されている。ラッチ収容部３の内壁面とラッチ本体６の基端部との間に配備された付勢用バネ部材９は、圧縮コイルバネで構成されている。
【００１１】
ユニットケース１の前面開口部２内に回転可能に収容されたカム体１１の側面には、ラッチ本体６の前面空間で旋回する板状の駆動アーム部１２が突出形成されている。駆動アーム部１２に押される受動突起１０は、ラッチ本体６の基端部前面に帯状に突出形成されており、図１ではカム体１１の主軸部１９を示す断面ハッチング領域内に鎖線で示されている。
【００１２】
ブラケット板１３は、後位板部１４と中継ぎ板部１５と前位板部１６とで、全体形状としてコ字状に形成されている。一般に既存のシリンダ錠２１では、錠本体２５の横断面形状は、円形の左右両側が平行直線で削除された所謂小判形状になっているので、ブラケット板１３の前位板部１６の取付孔２６も前記小判形状に形成されている。これによって錠本体２５は前位板部１６に相対回転不能に嵌挿される。
【００１３】
カム体１１の主軸部１９は断面円形状であり、ブラケット板１３の後位板部１４の軸受孔２０も円形に形成されている。これによってカム体１１はブラケット板１３に対して回転可能である。
一般に既存のシリンダ錠２１では、ロータ２２の駆動軸部２３の横断面形状は前記小判形状になっているので、カム体１１の主軸部１９の連動用受孔２４も同様に小判形状に形成されている。これによってカム体１１はシリンダ錠２１のロータ２２に相対回転不能に嵌挿され、ロータ２２からカム体１１に回転力が伝達される。
【図面の簡単な説明】
【００１４】
【図１】本発明の一実施例に係るシリンダ錠用後付けラッチユニットの使用状態における水平断面図である。
【図２】図１のシリンダ錠用後付けラッチユニットの背面図である。
【図３】図１のシリンダ錠用後付けラッチユニットの正面図である。
【符号の説明】
【００１５】
１  ユニットケース
２  ユニットケースの前面側開口部
３  ラッチ収容部
４  ユニットケースの側壁部
５  ビス孔
６  ラッチ本体
７  ラッチ本体の先端部分
８  ユニットケースの側面開口部
９  付勢用バネ部材
１０  ラッチ本体の受動突起
１１  カム体
１２  カム体の駆動アーム部
１３  ブラケット板
１４  後位板部
１５  中継ぎ板部
１６  前位板部
１７  後位板部のビス挿入孔
１８  固定用ビス
１９  カム体の主軸部
２０  後位板部の軸受孔
２１  シリンダ錠
２２  シリンダ錠のロータ
２３  ロータのの駆動軸部
２４  カム体の連動用受孔
２５  シリンダ錠の錠本体
２６  前位板部の取付孔
２７  扉
２８  扉の固着受孔
２９  ナット
３０  錠本体の前端鍔部
３１  錠本体の雌ねじ部
３２  ラッチ本体のカム斜面部
【図１】
2010007418.tif 000003
【図２】
2010007418.tif 000004
【図３】
2010007418.tif 000005